(57)【特許請求の範囲】
【請求項１】
閉じる方向に下傾した左右方向を向くガイドレールに上端部を吊支されて移動する引戸本体における戸当り側の側端縁に、前記引戸本体の上下長とほぼ等長をなすとともに、前後面にほぼ全長に亘って１対の把手部を有する、横断面形が概ね矩形筒状をなす縁材を取付け、前記把手部は、前後方向を向く垂直手掛部と、これと連続する引戸本体側に、弧状に湾曲する傾斜手掛部とを有し、前記縁材の垂直手掛部に近接する前後面には該垂直手掛部と連なる内向弧状の凹部が形成されていることを特徴とする引戸。
【請求項２】
１対の把手部を、縁材の引戸本体側の端部に前後方向に突出させて設け、両把手部により形成される空間部に引戸本体の側端部を嵌合して取付けるようにした請求項１に記載の引戸。
【請求項３】
縁材の戸当り側の側面に、戸当り支柱と密接する弾性材を取付けた請求項１および２に記載の引戸。
【請求項４】
縁材の適所に、該縁材の前後面より施、解錠可能な錠前を取付けた請求項１ないし３のいずれかに記載の引戸。
【請求項５】
縁材の筒部内に吸音材を充填した請求項１ないし４のいずれかに記載の引戸。
【発明の詳細な説明】
【０００１】
【発明の属する技術分野】
本発明は、オフィスの部屋を仕切る間仕切り、病院、福祉施設等の部屋に取付けられる引戸に関する。
【０００２】
【従来の技術】
この種の従来の引戸としては、例えば特開平１０−８８１８号公報に開示されているもののように、ガイドレールに沿って移動自在に吊支された、戸袋格納型の自閉式引戸がある。
【０００３】
この従来の引戸の戸当り側の端縁部には、引戸の上下長とほぼ等長の縁材が設けられ、これを把手として引戸を開閉するようにしている。
【０００４】
【発明が解決しようとする課題】
上述した従来の引戸の縁材は、横断面形が概ねＨ状をなし、その前後面に形成される凹構に手を挿し入れることにより、身長の高低に拘わらず引戸を容易に開閉できるようになっている。
【０００５】
しかしながら、縁材はＨ状を呈しているため、体裁が悪いだけでなく、側端の手掛け片に物や衣服等を引っ掛け易く、また板状をなしているため、物等が強く当たった際に縁材全体が前後方向に変形する恐れもある。また、縁材は平板状であるため、遮音性が低い。
【０００６】
さらに、縁材に錠前を取付けることは困難であるため、引戸本体に錠前取付け用の加工を施す必要があり、錠の有り無しの要求に応じて２つの引戸本体を用意しておく必要があり、不経済となる。
【０００７】
本発明は、上記問題点を解決するためになされたもので、突起感のない体裁に優れる形状とするとともに、強度及び遮音性が高く、かつ錠前の取付け可能な引戸を提供することを目的としている。
【０００８】
【課題を解決するための手段】
上記目的を達成するために、本発明の引戸は、閉じる方向に下傾した左右方向を向くガイドレールに上端部を吊支されて移動する引戸本体における戸当り側の側端縁に、前記引戸本体の上下長とほぼ等長をなすとともに、前後面にほぼ全長に亘って１対の把手部を有する、横断面形が概ね矩形筒状をなす縁材を取付け、前記把手部は、前後方向を向く垂直手掛部と、これと連続する引戸本体側に、弧状に湾曲する傾斜手掛部とを有し、前記縁材の垂直手掛部に近接する前後面には該垂直手掛部と連なる内向弧状の凹部が形成されていることを特徴としている。上記構成の本発明によると、縁材は、矩形筒状の断面形をなしているため、強度及び遮音性が高く、かつ引戸本体と一体感を有するため体裁がよい。また引戸を強い力で開くときに、垂直手掛部に力が入れ易く、また、それ程力を必要としない閉扉時に傾斜手掛部に手を添え易い。
【０００９】
上記引戸において、１対の把手部を、縁材の引戸本体側の端部に前後方向に突出させて設け、両把手部により形成される空間部に引戸本体の側端部を嵌合して取付けるようにするのが好ましい。
このようにすると、引戸の開閉時に縁材に無理な曲げ荷重が加わることがなく、また縁材の引戸本体に対する取付部の強度を高めることができる。
【００１２】
上記引戸において、縁材の戸当り側の側面に、戸当り支柱と密接する弾性材を取付けるのが好ましい。
このようにすると、引戸が戸当り支柱に当接した際の衝突音が小さくなるとともに、音洩れがなく遮音効果が大となる。
【００１３】
上記引戸において、縁材の適所に、該縁材の前後面より施、解錠可能な錠前を取付けるのが好ましい。
このようにすると、引戸本体に錠を取付ける必要がなくなり、引戸本体を錠無し、錠有りとで共用することができる。
【００１４】
上記引戸において、縁材の筒部内に吸音材を充填するのが好ましい。
このようにすると、遮音性がより高まる。
【００１５】
【発明の実施の形態】
以下、本発明の実施形態を図面に基づいて説明する。
【００１６】
図１は、本発明の引戸を備える間仕切りの正面図、図２は、図１のII−II線の拡大横断平面図を示す。
【００１７】
図１及び図２において、１は、床面２に立設された戸当り支柱、３は、戸当り支柱１の右方の床面２に所要寸法離間して立設された戸袋支柱で、これら両支柱１、３間の床面２には、前後１組の中間支柱４が立設されている。戸袋支柱３と前後の中間支柱４との間には、前後１対の戸袋パネル５が取付けられている。
【００１８】
戸当り支柱１と戸袋支柱３の上端部間に横架されたガイドレール（図示略）には、引戸６の上端が、図示しない左右１対のローラを介して左右方向に移動自在に吊支されている。
【００１９】
引戸６は、ガイドレールの左方を若干下傾させることにより、その自重により自動的に閉じられるようになっている。７は、引戸６の上端部を覆う前後１対のカバーパネルで、戸当り支柱１と前後の中間支柱４との間に、引戸６と干渉しない程度の間隔を設けて取付けられている。
【００２０】
上記引戸６は、引戸本体８と、その左端縁に取付けられた縁材９と、縁材９の左端面に取付けられた緩衝材１０とからなっている。縁材９は、アルミニウム合金又は硬質合成樹脂材等により、引戸本体８の上下長とほぼ等長をなす、横断面形が概ね横長矩形筒状に形成され、右端部の前後面には、上下方向を向く把手部１１が全長に亘って一体成形されている。
【００２１】
把手部１１は、縁材９の右端部より前後方向に向かってほぼ直角に延出する垂直手掛部１１ａと、その前後端から引戸本体６側に向かって弧状に湾曲する傾斜手掛部１１ｂと、この傾斜手掛部１１ｂの右端より左方に向かって延出し、縁材９の右端壁９ａと直角に連なる嵌合部１１ｃとを備え、前後の嵌合部１１ｃ間の前後幅は、引戸本体８の厚さとほぼ等しくしてある。把手部１１の表面は、滑り止めのために凹凸面としてある。
【００２２】
縁材９における両把手部１１と近接する右端部の前後面には、上記垂直手掛部１１ａと連なる内向弧状の凹部９ｂが形成され、意匠的効果に配慮してある。
【００２３】
縁材９は、前後の嵌合部１１ｃを引戸本体８の左端部の両面に、右端壁９ａが引戸本体８の左端面と当接するまで嵌挿したのち、右端壁９ａの複数箇所より挿入したビス１２を引戸本体８に螺挿することにより、強固に取付けられている。なお、ビス１２は、縁材９の左端壁９ｃに穿設した挿入孔１３よりドライバと共に挿入して締付けることができる。
【００２４】
緩衝材１０は、若干弾性変形可能な合成樹脂製の基材１０ａの左端面の凹部内に、戸当り支柱１と面で密接するゴム等の弾性材１４を嵌合して構成され、縁材９の左端に延出された前後１対の内向片９ｄに、基材１０ａの右端の外向係合片１０ｂを、縁材９の上下の開口端より挿入して係合させることにより、縁材９に取付けられている。なお、緩衝材１０は、縁材９に穿設したビス１２の挿入孔１３を隠蔽する作用も有している。
【００２５】
縁材９の上端部には、図３に示すように、縁材９の前後の面を一部開口させることにより、引戸６の前後より施、解錠可能なシリンダ錠１５が、ねじにより取付けられている。
【００２６】
図４は、縁材９の変形例を示すもので、上記突出状の把手部１１に代わりに、引戸本体８と近接した位置に、内向きに若干深めに凹入する円弧状の把手部１６を形成したものである。把手部１６の表面は、滑り止めのために凹凸面としてある。このような凹状の把手部１６とすると、突起感をなくすことができる。
【００２７】
図５は、縁材９の他の変形例を示すもので、縁材９の空間内に、グラスウールや樹脂発泡体等の吸音材１７を充填し、遮音性及び断熱性を高めている。
【００２８】
以上説明したように、上記実施形態においては、引戸本体８の左端部に取付けた縁材９の形状を、概ね角筒状としているため、厚さ方向の曲げ剛性が大きく、かつ引戸本体８と一体感を有して体裁が向上する。
【００２９】
また、把手部１１は、引戸本体８の上下方向の全長に亘って形成されているので、身長の違いや身体障害者等においてもどの高さでも把手部１１に手を掛けることができ、操作性がよい。
【００３０】
さらに、把手部１１は引戸本体８と近接しているので、引戸６の開閉時に縁材９に無理な力が作用することはなく、縁材９に曲げ荷重が加わるのが防止される。
【００３１】
把手部１１の一部に嵌合部１１ｃを形成し、これを引戸本体８に嵌合しているので、縁材９の引戸本体８に対する取付部の強度が高まる。
【００３２】
把手部１１は、垂直手掛部１１ａと傾斜手掛部１１ｂを有しているため、大きな初期の力を要する開扉時に力を入れ易く、またそれ程力を必要としない閉扉時には、傾斜手掛部１１ｂに手を添え易い。
【００３３】
緩衝材１０にゴム等の弾性材１４を設けているので、引戸６を閉めたときの衝突音が小さく、また弾性材１４が戸当り支柱１と密着し、遮音性が向上する。
【００３４】
縁材９にシリンダ錠１５を取付けることができるので、引戸本体８には何ら加工を施す必要はなく、引戸本体８を錠有り、錠無しとで共用することができる。
【００３５】
本発明は、上記実施形態に限定されるものではなく、縁材９における把手部１１、１６の形状や左右方向の位置は、適宜変更することができる。
【００３６】
本発明は、上記の戸袋パネル内に格納される型式の引戸以外に、間仕切りパネル等の前後の面に沿って開閉される通常の引戸にも適用することができる。
【００３７】
【発明の効果】
本発明によれば、次のような効果を奏する。
【００３８】
（ａ）請求項１に記載の発明によれば、把手部は、縁材の前後面に全長に亘って形成されているため、身長の高低に拘わらずどの高さ位置でも引戸を開閉することができる。また、縁材は矩形筒状の断面をなしているため、従来の板状の縁材に比して、強度や遮音性が高く、かつ引戸本体と一体感を有するので、体裁もよい。また引戸を強い力で開くときに、垂直手掛部に力が入れ易く、また、それ程力を必要としない閉扉時に傾斜手掛部に手を添え易い。
【００３９】
（ｂ）請求項２に記載の発明によれば、引戸の開閉時に縁材に無理な曲げ荷重が作用することがなく、また縁材の引戸本体に対する取付部の強度を高めることができる。
【００４２】
（ｃ）請求項３に記載の発明によれば、引戸が戸当り支柱と当接した際の衝突音が小さく、かつ音洩れもなくなるので遮音効果が大となる。
【００４３】
（ｄ）請求項４に記載の発明によれば、引戸本体に錠前を取付ける必要がないので、引戸本体を錠有りと錠無しとで共用することができ、経済的となる。
【００４４】
（ｅ）請求項５に記載の発明によれば、遮音性をより高めることができる。
【図面の簡単な説明】
【図１】本発明の引戸を備える間仕切りの正面図である。
【図２】同じく、図１のII−II線の拡大横断平面図である。
【図３】同じく、図１のIII−III線の拡大横断平面図である。
【図４】同じく、縁材の変形例を示す要部横断平面図である。
【図５】同じく、縁材の他の変形例を示す要部横断平面図である。
【符号の説明】
１              戸当り支柱
２              床面
３              戸袋支柱
４              中間支柱
５              戸袋パネル
６              引戸
７              カバーパネル
８              引戸本体
９              縁材
９ａ            右端壁
９ｂ            凹部
９ｃ            左端壁
９ｄ            内向片
１０            緩衝材
１０ｂ          外向係合片
１１            把手部
１１ａ          垂直手掛部
１１ｂ          傾斜手掛部
１１ｃ          嵌合部
１２            ビス
１３            挿入孔
１４            弾性材
１５            シリンダ錠
１６            把手部
１７            吸音材
【図１】
0004181712.tif 000002
【図２】
0004181712.tif 000003
【図３】
0004181712.tif 000004
【図４】
0004181712.tif 000005
【図５】
0004181712.tif 000006